(57)【要約】【課題】信号端子を有するカード用のカードコネクタにおいて、セキュリティ機能をより確実にすることができるカードコネクタを提供する。【解決手段】下側ハウジング１０と、上側カバー３０と、下側ハウジング１０及び上側カバー３０によって形成された収納空間１ａと、収納空間１ａに挿入されるカードの信号端子に弾接可能なように設けられた弾性接点部材２１と、を備える。弾性接点部材２１は、下側ハウジング１０に一端部２１ａが固着され他端部２１ｂが収納空間１ａに向かって突出している。さらに、上側カバー３０には、該上側カバー３０の外面３０ａよりも収納空間１ａ側に配置された断線検知用配線パターン４０が設けられている。【選択図】図６
2016146036.tif 000002
【特許請求の範囲】
【請求項１】
下側ハウジングと、
前記下側ハウジングの上側に取付けられた上側カバーと、
前記下側ハウジング及び前記上側カバーによって形成され、信号が読み書きされる信号端子を有するカードが挿入可能とされた収納空間と、
前記下側ハウジングに一端部が固着され他端部が前記収納空間に向かって突出して、前記信号端子に弾接可能なように設けられた弾性接点部材と、を備えたカードコネクタであって、
前記上側カバーには、該上側カバーの外面よりも前記収納空間側に配置された断線検知用配線パターンが設けられていることを特徴とするカードコネクタ。
【請求項２】
前記上側カバーは前記収納空間の上側を覆う天板側に規制部を備え、
前記収納空間に前記カードを収納したとき、前記弾性接点部材が前記カードを上方に押し上げ、前記規制部が前記カードの上方への移動を規制することを特徴とする請求項１に記載のカードコネクタ。
【請求項３】
前記断線検知用配線パターンと電気的に接続された取出端子部を備え、前記取出端子部は、前記下側ハウジングの下面側に露出し、前記下面側で実装基板に電気的に接続可能であり、
前記弾性接点部材は、前記一端部が前記下面側に露出し、前記下面側で前記実装基板に接続可能であり、
前記取出端子部及び前記一端部は、前記下側ハウジングの外周の位置より内側に配置されていることを特徴とする請求項１または請求項２に記載のカードコネクタ。
【請求項４】
前記上側カバーは、前記収納空間の前側に挿入用貫通孔を有する開口部を一体に備えたことを特徴とする請求項１乃至請求項３のいずれかに記載のカードコネクタ。
【請求項５】
前記上側カバーは、前記下側ハウジングに設けられた係止部に係止される係合部を備え、
前記係合部は、前記断線検知用配線パターンが設けられた抜け止め部を備え、前記係止部に係止された後に取り外すとき、前記抜け止め部が切断されることを特徴とする請求項１乃至請求項４のいずれかに記載のカードコネクタ。
【発明の詳細な説明】
【技術分野】
【０００１】
本発明は、信号端子を有するカード用のカードコネクタに関する。
【背景技術】
【０００２】
主にクレジット端末（ＰＯＳ端末）に代表される、信号のセキュリティ化が必要とされるカード用のカードコネクタにおいて、不正に信号が盗まれて情報が漏洩されない為のセキュリティ機能が必要とされている。このため、カードコネクタにスキミングを行うためのスキミング配線が取付けられることを防ぐ方法が考案されている。
【０００３】
例えば、カードコネクタの周りに断線検知用の配線が施されたフレキシブル配線基板を巻き付けたり、カードコネクタを取付けた実装基板に断線検知用の配線が施されたカバーを実装したりする方法があった。さらに、特許文献１には、端子を支持するハウジングにスキミング検知用端子が取付けられたカード用コネクタが開示されている。
【０００４】
図１４は、コネクタ装置におけるカード用コネクタ１１０を含むコネクタベース１４０の斜視図である。図１５は、コネクタ装置におけるハウジングカバー１５０の底面斜視図である。
【０００５】
カード用コネクタ１１０にハウジングカバー１５０が装着されて、コネクタ装置を構成している。なお、図１５に示すハウジングカバー１５０は、図１４に対し、上下反転して装着される。図１４に示す端子群１１２は、挿入されるカードの信号端子に接触して、信号の読み書きに使用される。
【０００６】
カード用コネクタ１１０は、表面実装型のコネクタであり、端子が実装基板の裏側に突き抜けることがない。さらに、端子群１１２を周壁部１２１によって包囲することにより、スキマーの端子（スキミング配線）を取付け難くなる。また、ハウジング１２０の周壁部１２１を削った場合に、周壁部１２１に取付けられているスキミング検知用端子１３０が切断されることになる。そのため、簡易な構成によりスキミング被害を防止できる表面実装型のカード用コネクタが得られる。
【先行技術文献】
【特許文献】
【０００７】
【特許文献１】特開２００９−０７６３３７号公報
【発明の概要】
【発明が解決しようとする課題】
【０００８】
しかしながら、従来のコネクタ装置では、スキミング検知用端子（断線検知用配線）が設けられていないハウジングカバー（上側カバー）に孔を開けて、スキミング配線を取付ける改造が行われてしまう懸念があった。
【０００９】
本発明は、上述した課題を解決するもので、信号端子を有するカード用のカードコネクタにおいて、セキュリティ機能をより確実にすることができるカードコネクタを提供することを目的とする。
【課題を解決するための手段】
【００１０】
本発明のカードコネクタは、下側ハウジングと、前記下側ハウジングの上側に取付けられた上側カバーと、前記下側ハウジング及び前記上側カバーによって形成され、信号が読み書きされる信号端子を有するカードが挿入可能とされた収納空間と、前記下側ハウジングに一端部が固着され他端部が前記収納空間に向かって突出して、前記信号端子に弾接可能なように設けられた弾性接点部材と、を備えたカードコネクタであって、前記上側カバーには、該上側カバーの外面よりも前記収納空間側に配置された断線検知用配線パターンが設けられていることを特徴とする。
【００１１】
この構成によれば、断線検知用配線パターンが設けられた上側カバーに孔を開けると断線検知用配線パターンが断線するので、不正改造があったことを知ることができる。また、上側カバーを取り外して短絡させたとしても、カードを挿入する収納空間が破壊されてしまって、カードコネクタとして機能しないので、不正改造があったことを知ることができる。したがって、セキュリティ機能をより確実にすることができる。
【００１２】
また、本発明のカードコネクタにおいて、前記上側カバーは前記収納空間の上側を覆う天板側に規制部を備え、前記収納空間に前記カードを収納したとき、前記弾性接点部材が前記カードを上方に押し上げ、前記規制部が前記カードの上方への移動を規制することを特徴とする。
【００１３】
この構成によれば、断線検知用配線パターンが設けられている上側カバーを取り外して短絡させたとしても、カードを挿入したときにカードがガイドされず、カードコネクタとして機能しないので、不正改造があったことを知ることができる。
【００１４】
また、本発明のカードコネクタにおいて、前記断線検知用配線パターンと電気的に接続された取出端子部を備え、前記取出端子部は、前記下側ハウジングの下面側に露出し、前記下面側で実装基板に電気的に接続可能であり、前記弾性接点部材は、前記一端部が前記下面側に露出し、前記下面側で前記実装基板に接続可能であり、前記取出端子部及び前記一端部は、前記下側ハウジングの外周の位置より内側に配置されていることを特徴とする。
【００１５】
取出端子部が下側ハウジングの外周に面する位置にあったとしたらその部分を短絡される恐れがあるが、取出端子部が下側ハウジングの下面の外周より内側の位置にあれば、短絡されないようにすることができる。
【００１６】
また、本発明のカードコネクタにおいて、前記上側カバーは、前記収納空間の前側に挿入用貫通孔を有する開口部を一体に備えたことを特徴とする。
【００１７】
この構成によれば、上側カバーは開口部を一体に備えているので、前側から見て不正改造があったことを分かりやすくすることができる。
【００１８】
また、本発明のカードコネクタにおいて、前記上側カバーは、前記下側ハウジングに設けられた係止部に係止される係合部を備え、前記係合部は、前記断線検知用配線パターンが設けられた抜け止め部を備え、前記係止部に係止された後に取り外すとき、前記抜け止め部が切断されることを特徴とする。
【００１９】
この構成によれば、上側カバーを外して改造しようとすると、断線検知用配線パターンが破損してしまって、不正改造があったことを知ることができる。
【発明の効果】
【００２０】
本発明によれば、上側カバーには、上側カバーの外面よりも収納空間側に配置された断線検知用配線パターンが設けられており、上側カバーに孔を開けると断線検知用配線パターンが断線するので、不正改造があったことを知ることができる。また、上側カバーを取り外して短絡させたとしても、カードを挿入する収納空間が破壊されてしまって、カードコネクタとして機能しない。したがって、セキュリティ機能をより確実にすることができるカードコネクタを提供することができる。
【図面の簡単な説明】
【００２１】
【図１】本発明の実施形態のカードコネクタを斜め上方から見た斜視図である。
【図２】本発明の実施形態のカードコネクタを斜め下方から見た斜視図である。
【図３】本発明の実施形態のカードコネクタを示す平面図である。
【図４】本発明の実施形態のカードコネクタを示す正面図である。
【図５】本発明の実施形態のカードコネクタを示す底面図である。
【図６】図４のＶＩ−ＶＩ線で切断した断面図である。
【図７】本発明の実施形態のカードコネクタを示す分解斜視図である。
【図８】下側ハウジングを示す平面図である。
【図９】下側ハウジングを斜め上方から見た斜視図である。
【図１０】下側ハウジングを斜め下方から見た斜視図である。
【図１１】上側カバーを斜め下方から見た斜視図である。
【図１２】図１１のＡ部を示す部分拡大図である。
【図１３】図１１のＢ部を示す部分拡大図である。
【図１４】従来のコネクタ装置におけるカード用コネクタを含むコネクタベースの斜視図である。
【図１５】従来のコネクタ装置におけるハウジングカバーの底面斜視図である。
【発明を実施するための形態】
【００２２】
［第１実施形態］
以下、本発明の実施の形態について図面を用いて詳細に説明する。なお、分かりやすいように、図面は寸法を適宜変更している。
【００２３】
図１は、本発明の実施形態のカードコネクタ１を斜め上方から見た斜視図である。図２は、カードコネクタ１を斜め下方から見た斜視図である。図３は、カードコネクタ１を示す平面図である。図４は、カードコネクタ１を示す正面図である。図５は、カードコネクタ１を示す底面図である。図６は、図４のＶＩ−ＶＩ線で切断した断面図である。図７は、カードコネクタ１を示す分解斜視図である。図８は、下側ハウジング１０を示す平面図である。図９は、下側ハウジング１０を斜め上方から見た斜視図である。図１０は、下側ハウジング１０を斜め下方から見た斜視図である。図１１は、上側カバー３０を斜め下方から見た斜視図である。図１２は、図１１のＡ部を示す部分拡大図である。図１３は、図１１のＢ部を示す部分拡大図である。
【００２４】
本実施形態のカードコネクタ１は、図１〜図６に示すように、下側ハウジング１０及び上側カバー３０によって、信号が読み書きされる信号端子６１を有するカード６０が挿入用貫通孔１ｂから挿入可能とされた収納空間１ａを形成している。本実施形態では、図２に示すように、カード６０がＹ１側からＹ２側に向けて挿入される。なお、本明細書においては、説明を分かりやすくするために、図１に示すＺ１側を上側とする。
【００２５】
下側ハウジング１０は、板状に合成樹脂を成形したものであり、図７〜図１０に示すように、４隅と３辺に上側カバー３０を係合するための係止部１６、１７が突出形成されている。また、下側ハウジング１０には、下面１０ｂ側まで貫通した孔が設けられており、この孔に挿入するようにして、弾性接点部材２１、２２、２３が圧入によって一体化されている。
【００２６】
弾性接点部材２１、２２、２３は、弾性を備えた導電性の金属からなり、所望の形状に加工されている。例えば、リン青銅に金メッキが施されたものが使用できる。弾性接点部材２１は、圧入によって下側ハウジング１０に一端部２１ａが固着され、カード６０が挿入されたときに信号端子６１に弾接可能なように他端部２１ｂが収納空間１ａに向かって突出している。本実施形態では、カード６０の信号端子６１が８個であり、対応する弾性接点部材２１は８個設けられている。弾性接点部材２２は、圧入によって下側ハウジング１０に一端部２２ａが固着され、カード６０が挿入されたときにカード６０の挿入側端部が他端部２２ｂに当接するように設けられている。なお、この他端部２２ｂに近接して固定接点部材２５が下側ハウジング１０の奥側に圧入されて配設されており、他端部２２ｂがカード６０に押圧されたときに固定接点部材２５に当接して電気的に導通するようになっている。弾性接点部材２３は、圧入によって下側ハウジング１０に取出端子部２３ａが固着され、弾接部２３ｂが収納空間１ａに向かって突出している。なお、弾接部２３ｂは、カード６０が挿入されても当接しない位置に配置されている。また、一端部２１ａ、２２ａ、及び取出端子部２３ａは、下側ハウジング１０の下面１０ｂ側に露出している。取出端子部２３ａ及び一端部２１ａ、２２ａは、下側ハウジング１０の外周１０ｃの位置より内側に配置されて、下面１０ｂ側で実装基板に接続可能である。
【００２７】
上側カバー３０は、図７及び図１１に示すように、下側ハウジング１０側が開口された箱状に合成樹脂を成形したものである。具体的には、上側カバー３０の上側に平板状の天板３１を有し、上側カバー３０の左右側と後側には壁部３２を有し、上側カバー３０の前側には開口部３３を有し、開口部３３にカードコネクタ１の挿入用貫通孔１ｂを備えている。これらの壁部３２及び開口部３３は、下側ハウジング１０の下面１０ｂの外周１０ｃまで覆っている。さらに、上側カバー３０は、壁部３２の内側に、係合部３６、３７を備えている。上側カバー３０は収納空間１ａの上側を覆う天板３１側に規制部３５を備え、収納空間１ａにカード６０を収納したとき、弾性接点部材２１がカード６０を上方に押し上げ、規制部３５がカード６０の上方への移動を規制する。なお、図１及び図３では、分かりやすく示すために、上側カバー３０の天板３１の外面３０ａ側に下側ハウジング１０に設けられた係止部１６、１７が見えた状態であるが、化粧板や樹脂材によって係止構造が外部から見えなくしていることが好ましい。
【００２８】
本実施形態の上側カバー３０には、収納空間１ａに露出するように配置された断線検知用配線パターン４０が設けられている。断線検知用配線パターン４０は、例えば、銅メッキで上側カバー３０に細線パターンが形成されてなる。この断線検知用配線パターン４０は、下側ハウジング１０に上側カバー３０を取付けたときに４箇所で弾性接点部材２３の弾接部２３ｂに弾接するように配置されるとともに、この４箇所以外は連続する細線状に引き回されている。図１２に、このうちの２箇所（端部４１ａ、４２ａ）を拡大して示している。他の２箇所は上側カバー３０における左右対称の位置に配置されている。なお、隣接する２箇所（端部４１ａ、４２ａ）から引き回された２本の細線は、もう一方の隣接する２箇所まで連続するとともに、途中で交わらないようにほぼ並行して配設されている。
【００２９】
さらに、断線検知用配線パターン４０は、図１２に示すようにして上側カバー３０の内側のほぼ全面に亘って引き回されており、図１３に示す係合部３６にも配設されている。この係合部３６には、丸い貫通孔３６ｂが設けられており、いったん下側ハウジング１０の係止部１６に係止された後に、取り外すと、貫通孔３６ｂの周りの部分で切断されるように橋状の抜け止め部３６ａが設けられている。この橋状の抜け止め部３６ａは切断されやすいように幅が細くなっている。そして、断線検知用配線パターン４０が抜け止め部３６ａを通るように設けられている。これにより、いったん下側ハウジング１０に係止された上側カバー３０を取り外すと、抜け止め部３６ａが切断され、この部分で断線検知用配線パターン４０が断線することになる。
【００３０】
断線検知用配線パターン４０が途中で断線した場合には、パターン両端の電気的導通が取れない（配線抵抗が無限大になる）ので、断線を検知することができる。上側カバー３０を取り外した場合だけでなく、上側カバー３０に孔を開けようとしても、断線検知用配線パターン４０に掛かってしまうと、断線検知用配線パターン４０は断線することになる。また、細線状のパターンの配線抵抗値や並行する２本の細線パターン間の絶縁抵抗値をモニタすれば、断線だけでなく、短絡等の異常についても検知できる。
【００３１】
本実施形態では、天板３１側の規制部３５と断線検知用配線パターン４０とが同じ高さである。すなわち、規制部３５と断線検知用配線パターン４０との境界に段差がない。このため、カード６０を収納したとき、断線検知用配線パターン４０が規制部３５とともに、カード６０の上方への移動を規制する。なお、断線検知用配線パターン４０より規制部３５が部分的に下方へ突出するように形成されていてもよい。こうすれば、カード６０を収納したとき、断線検知用配線パターン４０に当接することがないので、使用時の劣化が少なくなることが期待できる。
【００３２】
さらに、図１２に示す端部４１ａ、４２ａの領域で、弾接部２３ｂが断線検知用配線パターン４０と弾接し、取出端子部２３ａは断線検知用配線パターン４０と電気的に接続される。取出端子部２３ａは、図１０に示すように、下側ハウジング１０の下面１０ｂ側に露出し、下面１０ｂ側で実装基板に電気的に接続可能である。また、この位置が下側ハウジング１０の外周１０ｃの位置より内側に配置されているので、実装基板に実装された状態では外部から見えない状態になる。したがって、断線検知用配線パターン４０を外部から短絡しようとすることは、きわめて困難である。
【００３３】
本実施形態のカードコネクタ１において、弾性接点部材２１、２２は、一端部２１ａ、２２ａが下側ハウジング１０の外周１０ｃの位置より内側に配置されて、下面１０ｂ側で実装基板に接続可能である。このため、実装基板に実装された状態では接続部分が外部から見えない状態になる。したがって、外部からスキミング配線を取付ける改造が行われてしまう懸念は少ない。また、挿入用貫通孔１ｂからスキミング配線を取付けることも困難な構造になっているので、その懸念は少ない。また、上側カバー３０は開口部３３を一体に備えているので、前側から見て不正改造があったことを分かりやすくすることができる。
【００３４】
さらに、上側カバー３０には、上側カバー３０の外面３０ａよりも収納空間１ａ側に配置された断線検知用配線パターン４０が設けられており、上側カバー３０に孔を開けると断線検知用配線パターン４０が断線するので、不正改造があったことを知ることができる。
【００３５】
また、上側カバー３０を取り外して短絡させたとしても、カード６０を挿入する収納空間１ａが破壊されてしまって、カードコネクタとして機能しないので、不正改造があったことを知ることができる。したがって、セキュリティ機能をより確実にすることができる。さらに、上側カバー３０を取り外して改造してから元に戻そうとしても、抜け止め部３６ａが切断され、この部分で断線検知用配線パターン４０が断線することになる。とくに、断線検知用配線パターン４０の配線抵抗値や並行する２本の細線パターン間の絶縁抵抗値をモニタしていれば、より確実に不正改造があったことを知ることができる。
【００３６】
以下、本実施形態としたことによる効果について説明する。
【００３７】
本実施形態のカードコネクタ１は、下側ハウジング１０と、上側カバー３０と、下側ハウジング１０及び上側カバー３０によって形成された収納空間１ａと、カード６０の信号端子６１に弾接可能なように設けられた弾性接点部材２１と、を備える。弾性接点部材２１は、下側ハウジング１０に一端部２１ａが固着され他端部２１ｂが収納空間１ａに向かって突出している。さらに、上側カバー３０には、該上側カバー３０の外面３０ａよりも収納空間１ａ側に配置された断線検知用配線パターン４０が設けられている。
【００３８】
この構成によれば、断線検知用配線パターン４０が設けられた上側カバー３０に孔を開けると断線検知用配線パターン４０が断線するので、不正改造があったことを知ることができる。また、上側カバー３０を取り外して短絡させたとしても、カード６０を挿入する収納空間１ａが破壊されてしまって、カードコネクタとして機能しないので、不正改造があったことを知ることができる。したがって、セキュリティ機能をより確実にすることができる。
【００３９】
また、本実施形態のカードコネクタ１において、上側カバー３０は収納空間１ａの上側を覆う天板３１側に規制部３５を備える。そして、収納空間１ａにカード６０を収納したとき、弾性接点部材２１がカード６０を上方に押し上げ、規制部３５がカード６０の上方への移動を規制している。この構成によれば、断線検知用配線パターン４０が設けられている上側カバー３０を取り外して短絡させたとしても、カード６０を挿入したときにカード６０がガイドされず、カードコネクタとして機能しないので、不正改造があったことを知ることができる。
【００４０】
また、本実施形態のカードコネクタ１において、断線検知用配線パターン４０と電気的に接続された取出端子部２３ａを備え、取出端子部２３ａは、下側ハウジング１０の下面１０ｂ側に露出し、下面１０ｂ側で実装基板に電気的に接続可能である。また、弾性接点部材２１は、一端部２１ａが下面１０ｂ側に露出し、下面１０ｂ側で実装基板に接続可能であり、取出端子部２３ａ及び一端部２１ａは、下側ハウジング１０の外周１０ｃの位置より内側に配置されている。
【００４１】
取出端子部２３ａが下側ハウジング１０の外周１０ｃに面する位置にあったとしたらその部分を短絡される恐れがあるが、取出端子部２３ａが下側ハウジング１０の下面１０ｂの外周１０ｃより内側の位置にあれば、短絡されないようにすることができる。
【００４２】
また、本実施形態のカードコネクタ１において、上側カバー３０は、収納空間１ａの前側に挿入用貫通孔１ｂを有する開口部３３を一体に備えた。この構成によれば、上側カバー３０は開口部３３を一体に備えているので、前側から見て不正改造があったことを分かりやすくすることができる。
【００４３】
また、本実施形態のカードコネクタ１において、上側カバー３０は、下側ハウジング１０に設けられた係止部１６に係止される係合部３６を備える。さらに、係合部３６は、断線検知用配線パターン４０が設けられた抜け止め部３６ａを備え、係止部１６に係止された後に取り外すとき、抜け止め部３６ａが切断されることを特徴とする。この構成によれば、上側カバー３０を外して改造しようとすると、断線検知用配線パターン４０が破損してしまって、不正改造があったことを知ることができる。
【００４４】
以上のように、本発明の実施形態のカードコネクタ１を具体的に説明したが、本発明は上記の実施形態に限定されるものではなく、要旨を逸脱しない範囲で種々変更して実施することが可能である。例えば次のように変形して実施することができ、これらも本発明の技術的範囲に属する。
【００４５】
（１）本実施形態において、断線検知用配線パターン４０が収納空間１ａに露出するように配置されているとしたが、収納空間１ａに露出しない構成に変更してもよい。上側カバー３０の外面３０ａよりも収納空間１ａ側に配置されていれば、外部には断線検知用配線パターン４０が露出しないので、断線検知用配線パターン４０を不正に短絡されることがない。また、収納空間１ａに露出しないように保護されていれば、カード６０を収納したときにも断線検知用配線パターン４０に当接することがないので、使用時の劣化が少なくなることが期待できる。
【００４６】
（２）本実施形態において、弾性接点部材２１、２２、２３は、圧入によって下側ハウジング１０に取付けられているが、インサート成形によって構成してもよい。また、一部のみをインサート成形で構成したり、インサート成形された金属部材に圧入を組み合わせるように構成したりしてもよい。
【００４７】
（３）本実施形態において、断線検知用配線パターン４０は上側カバー３０の内側のほぼ全面に亘って引き回されているが、少なくとも改造されやすいところに設けられていれば、効果を奏すると言える。例えば、後側の壁部３２からスキミング配線を取付ける改造に対しては、後側の壁部３２に断線検知用配線パターン４０が設けられていれば、その断線によって不正改造を検知できる。
【符号の説明】
【００４８】
１      カードコネクタ
１ａ    収納空間
１ｂ    挿入用貫通孔
１０    下側ハウジング
１０ｂ  下面
１０ｃ  外周
１６    係止部
２１    弾性接点部材
２１ａ  一端部
２１ｂ  他端部
２２    弾性接点部材
２２ａ  一端部
２２ｂ  他端部
２３    弾性接点部材
２３ａ  取出端子部
２３ｂ  弾接部
２５    固定接点部材
３０    上側カバー
３０ａ  外面
３１    天板
３２    壁部
３３    開口部
３５    規制部
３６    係合部
３６ａ  抜け止め部
３６ｂ  貫通孔
４０    断線検知用配線パターン
４１ａ  端部
６０    カード
６１    信号端子
【図１】
2016146036.tif 000003
【図２】
2016146036.tif 000004
【図３】
2016146036.tif 000005
【図４】
2016146036.tif 000006
【図５】
2016146036.tif 000007
【図６】
2016146036.tif 000008
【図７】
2016146036.tif 000009
【図８】
2016146036.tif 000010
【図９】
2016146036.tif 000011
【図１０】
2016146036.tif 000012
【図１１】
2016146036.tif 000013
【図１２】
2016146036.tif 000014
【図１３】
2016146036.tif 000015
【図１４】
2016146036.tif 000016
【図１５】
2016146036.tif 000017